(57)【要約】      （修正有）【課題】中空孔を有するワークのバリ取りにおいて、中空孔内のバリの取り残しをなくすことができるバリ取り用ブラシを提供する。【解決手段】棒状の柄部と、柄部の一方端部に備えられるブラシ部とを有するバリ取り用ブラシ１において、柄部２はブラシ部３を備える一方端部が折曲している。【選択図】図２
2005288565.tif 000002
【特許請求の範囲】
【請求項１】
棒状の柄部（２）と、該柄部（２）の一方端部（４）に備えられるブラシ部（３）とを有するバリ取り用ブラシにおいて、前記柄部（２）は前記ブラシ部（３）を備える一方端部（４）が折曲していることを特徴とするバリ取り用ブラシ。
【請求項２】
前記バリ取り用ブラシ（１）において、前記ブラシ部（３）は前記柄部（２）に対して偏心していることを特徴とする請求項１記載のバリ取り用ブラシ。
【発明の詳細な説明】
【技術分野】
【０００１】
本発明は、中空孔を有するワークの中空孔内のバリ等を除去するためのバリ取り用ブラシに関する。
【背景技術】
【０００２】
中空孔を有するワークにおける中空孔内に生じるバリを除去するバリ取り用ブラシとしては、図５に示される如きものがあった。このバリ取り用ブラシ１０１は、棒状で直線状の柄部１０２と、柄部１０２の一方端部１０４に装着されるブラシ部１０３とを備え、ブラシ部１０３の径方向長さはワーク１５１の中空孔１５３内径より若干長く形成されている。１１１はブラシ駆動部で、モータ１１４と、把持部を有するチャック１１２と、モータ１１４を載置し軸線方向に移動可能であるスライダ１１５とを備え、バリ取り用ブラシ１０１の柄部１０２の他方端部１０５がチャック１１２に把持される。また１５１はワークである中空カムシャフトであり、バリ取り用ブラシ１０１と同心で軸線方向に対向した状態にワーク受け治具１６１により保持され、バリ取り用ブラシ１０１が挿入される挿入口１５２と、挿入口１５２から連続し、挿入口１５２開口より大径の中空孔１５３を有している。このカムシャフト１５１には、中空孔１５３に連通する油孔１５７がドリルにより成形されるため、中空孔１５３内周側に突出するバリ１３１が生じている。このバリ１３１が生じた状態でカムシャフト１５１を使用すると、振動手等によりバリ１３１が取れた場合に油内に混入して作動不良が起きる可能性があり、除去する必要があった。
【０００３】
そこで、上記バリ取り用ブラシ１０１を用いてカムシャフト１５１の中空孔１５３内のバリ１３１を除去する方法を図５及び図６を基に説明する。まずモータ１１４が駆動し、バリ取り用ブラシ１０１を回転させ、同時に図示せぬスライダ用モータによりスライダ１１５がカムシャフト１５１の方向へ移動する。そしてバリ取り用ブラシ１０１はブラシ部１０３からカムシャフト１５１の中空孔１５３内に挿入され、回転するブラシ部１０３が中空孔１５３内周面に当接し、バリ１３１を除去していた。
【特許文献１】特開２００３−１６４３３２号
【０００４】
しかし、上記の如きバリ取り用ブラシ１０１においては、継続的に使用するとブラシ部１０３の周方向外端部１０６が摩耗して周方向長さが短くなる。そのためバリを除去する力が弱くなり、バリの取り残しが生じるということがあった。
【０００５】
また、近年の自動車等の部品においては更に軽量化が求められる傾向がある。そのため、中空カムシャフト２５１の中空孔２５３の内径を更に拡径したものがある。しかしこのような中空カムシャフト２５１においてもバリ取り用ブラシ１０１の挿入口である開口２５２端部は相手部材との組み付け時に強度が必要であるため、開口２５２端部の内径を拡径することができず、必要な強度を有するための肉厚を維持する必要があった。そのため、図７に示す如く開口２５２端部内径が、バリが生じる中空孔２５３内径より小径に形成されたカムシャフト２５１が考えられる。しかし、中空孔２５３内周面に当接してバリ２３１を除去するためにはバリ取り用ブラシ２０１のブラシ部２０３の径方向長さは中空孔２５３内径より若干長くしなければならず、バリ取り用ブラシ２０１がカムシャフト２５１の開口２５２端部の内周を通過することができないということがあった。
【発明の開示】
【発明が解決しようとする課題】
【０００６】
解決しようとする問題点は、バリ取り用ブラシを継続的に使用するとブラシ部の径方向外端部が摩耗して径方向長さが短くなってバリを取る力が弱くなり、ワークにおける中空孔内のバリが完全に除去できない場合があるので、ワークの品質が低下する点である。更にワークにおけるバリ取り用ブラシの挿入口内径がバリを生じる中空孔内径より小さい場合、バリ取り用ブラシをワークの中空孔内に挿入できないためバリを除去することができない点である。
【課題を解決するための手段】
【０００７】
本発明は、棒状の柄部と、柄部の一方端部に備えられるブラシ部とを有するバリ取り用ブラシにおいて、柄部はブラシ部を備える一方端部が折曲していることを第一の特徴とする。
【０００８】
また、本発明は上記第一の特徴に加えて、ブラシ部は柄部に対して偏心していることを第二の特徴とする。
【発明の効果】
【０００９】
本発明における第一の特徴のバリ取り用ブラシによれば、柄部はブラシ部を備える一方端部が折曲しているため、ブラシ部の位置が柄部の軸心からずれる。そのため遠心力により、ブラシ部が回転することにより生じる回転径が回転速度に比例して大きくなるので、ブラシ部の径方向外端部が多少摩耗してもワークの中空孔内に当接することができ、ブラシ部がバリを除去する力を強くできるため、バリの取り残しが生じることはなく、ワークの品質を維持できる。更に、ワークにおけるバリ取り用ブラシの挿入口内径がバリを生じる中空孔内径より小さい場合においても、ブラシ部が回転することによって生じる回転径が中空孔の内径よりやや大径であればよいので、回転前の状態でブラシ部の径方向長さを短くすることができるため、バリ取り用ブラシをワークの挿入口を通して中空孔内に挿入させることができ、ワークの中空孔内のバリを除去することができる。
【００１０】
更に、本発明における第二の特徴のバリ取り用ブラシによれば、ブラシ部は柄部に対して偏心しているので、上記効果に加え、ブラシ部全てが均一にワークの中空孔内周面に当接することができるため、ブラシ部のバリを取る力がより強くなり、更に取り残しがなくバリを除去することができる。
【発明を実施するための最良の形態】
【００１１】
中空孔を有するワークの中空孔内に生じるバリ等を除去するためのバリ取りを、ワークにおけるバリ取り用ブラシの挿入口内径がバリを生じる中空孔内径より小さいような異径孔を有するワークの中空孔内周に挿入させることも可能な形態で実現した。
【実施例】
【００１２】
図１に示されるのは、本発明の第一の実施例によるバリ取り用ブラシ１である。このバリ取り用ブラシ１は、棒状で直線状の柄部２と、柄部２の一方端部４に周状に装着されるブラシ部３とを備え、この柄部２の一方端部４は折曲していおり、ブラシ部３の外径は後記するワーク５１の中空孔５３内径より小径に形成されている。１１はブラシ駆動部で、モータ１４と、モータ１４から伝達される動力を調整する減速機１３と、把持部を有するチャック１２と、モータ１４を載置し軸線方向に移動可能であるスライダ１５とを備える。このブラシ駆動部１１のチャック１２にバリ取り用ブラシ１の柄部２の他方端部５は把持されている。５１は、バリ取り用ブラシ１を使用してバリを除去されるワークである中空カムシャフトであり、バリ取り用ブラシ１と軸線方向に対向した状態に配置され、ワーク受け治具６１により保持されている。このカムシャフト５１は、バリ取り用ブラシ１が挿入される挿入口５２と、挿入口５２から連続し、挿入口５２開口より小径の中空孔５３を有している。このカムシャフト５１には、中空孔５３に連通する油孔５７がドリルにより成形されるため、中空孔５３内周側に突出するバリ３１が生じている。
【００１３】
そこで上記バリ取り用ブラシ１を用いてカムシャフト５１の中空孔５３内のバリ３１を除去する方法を図１及び図２を基に説明する。まずチャック１２に把持されたバリ取り用ブラシ１が、カムシャフト５１の中空孔５３の軸心と柄部２２の軸心とが一致した状態で、スライダ１５によりブラシ部３側からカムシャフト５１の方向へ移動する。ついでバリ取り用ブラシ１のブラシ部３がカムシャフト５１の挿入口５２内に挿入される。このときブラシ部３の径方向外端部６の一部はカムシャフト５１の挿入口５２内周面に接触してわずかに変形しながら挿入口５２を通過する。そしてブラシ部３が挿入口５２を通過すると同時にモータ１４が駆動してバリ取り用ブラシ１が回転を開始する。このとき遠心力によりブラシ部３が回転する回転径は回転速度に比例して大きくなり、中空孔５３内周面に強く当接する。中空孔５３内周面に当接したブラシ部３は、図３に示す如くカムシャフト５１の中空孔５３に生じたバリを除去する。そして全ての油孔のバリを除去した後、バリ取り用ブラシ１は回転を停止し、バリ取り用ブラシ１がカムシャフト５１から退避して、バリ取りが完了する。
【００１４】
よって上記第一の実施例によれば、バリ取り用ブラシ１において、柄部２はブラシ部３を備える一方端部４が折曲しているので、ブラシ部３は柄部２の軸心からずれて位置するので、遠心力によりブラシ部３が回転する回転径は、回転速度に比例して大きくなり、中空孔５３内周面に強く当接し、バリを取る力が強くなる。更に、カムシャフト５１におけるバリ取り用ブラシ１の挿入口５２内径がバリを生じる中空孔５３内径より小さい場合でも、ブラシ部３が回転することによって生じる回転径が中空孔５３の内径より若干大径であればよいので、ブラシ部３の径方向長さを短くすることができるため、バリ取り用ブラシ１をワーク５１の挿入口５２を通し中空孔５３内に挿入させることができる。
【００１５】
続いて第二の実施例について図４を基に説明する。図４に示されるバリ取り用ブラシ７１は、ブラシ部７３が装着される柄部７２の一方端部７４が柄部７２の軸心に対し偏心して形成されている。このバリ取り用ブラシ７１は第一の実施例と同様にカムシャフト５１の中空孔５３内に挿入されてから回転し、ブラシ部７３が中空孔５３内周面のバリ３１を除去する。
【００１６】
上記の如き第二の実施例によれば、ブラシ部７３は柄部７２に対して偏心しているので、ブラシ部７３の周方向外端部７６が全て均一にカムシャフト５１の中空孔５３内周面に当接する。
【００１７】
尚、上記実施例では、予めバリ取り用ブラシの柄部の軸心とカムシャフトの中空孔における軸心とが一致した状態でバリ取り用ブラシがカムシャフトの中空孔内に挿入されたが、カムシャフトの挿入口通過時においてはバリ取り用ブラシの一方端部の軸心をカムシャフトの中空孔の軸心とは異なる状態に配置し、ブラシ部が挿入口内周面と接触しない状態で通過させ、ブラシ部が中空孔内に挿入された時点で柄部とカムシャフトの中空孔との軸心を一致させてもよい。
【００１８】
また、上記実施例では、バリ取り用ブラシを使用してバリを除去するワークはカムシャフトであるが、中空孔を有するワークであればよく、カムシャフトに限定されるわけではない。
【図面の簡単な説明】
【００１９】
【図１】本発明の第一の実施例によるバリ取り用ブラシとワークを表す部分断面平面図である。
【図２】本発明の第一の実施例によるバリ取り用ブラシがワークの中空孔内に挿入された状態を表す部分断面平面図である。
【図３】本発明の第一の実施例によるバリ取り用ブラシを用いてワークにおける中空孔内のバリを除去した状態を表す断面図である。
【図４】本発明の第二の実施例によるバリ取り用ブラシがワークの中空孔内に挿入された状態を表す部分断面平面図である。
【図５】従来のバリ取り用ブラシとワークを表す部分断面平面図である。
【図６】従来のバリ取り用ブラシがワークの中空孔内に挿入された状態を表す部分断面平面図である。
【図７】従来のバリ取り用ブラシと異径孔を有するワークを表す部分断面平面図である。
【符号の説明】
【００２０】
１    バリ取り用ブラシ
２    柄部
３    ブラシ部
４    一方端部
【図１】
2005288565.tif 000003
【図２】
2005288565.tif 000004
【図３】
2005288565.tif 000005
【図４】
2005288565.tif 000006
【図５】
2005288565.tif 000007
【図６】
2005288565.tif 000008
【図７】
2005288565.tif 000009